(57)【要約】【課題】撮影者が意図する大きさの画像領域から焦点調節用のコントラスト情報を取得する。【解決手段】電子カメラ１０は、撮影光学系５０から導かれた被写体像を撮像する撮像素子１３と、撮像素子１３で撮像される画像信号からコントラスト情報を取得するコントラスト検出手段１０１と、コントラスト情報に応じて撮影光学系５０の焦点調節を行う焦点調節手段１０１、１０９と、操作部材１０６からの第１操作信号に応じて、撮像される画像のうちコントラスト検出手段１０１がコントラスト情報の取得に用いる領域の大きさを変化させる制御手段１０１とを備える。【選択図】図２
2008122666.tif 000002
【特許請求の範囲】
【請求項１】
撮影光学系から導かれた被写体像を撮像する撮像素子と、
前記撮像素子で得られる画像信号の少なくとも一部の特定領域からコントラスト情報を取得するコントラスト検出手段と、
前記コントラスト情報に応じて前記撮影光学系の焦点調節を行う焦点調節手段と、
操作部材からの大きさ変更指示信号に応じて、前記特定領域の大きさを変化させる制御手段とを備えることを特徴とする電子カメラ。
【請求項２】
請求項１に記載の電子カメラにおいて、
前記制御手段は、前記操作部材からの移動指示信号に応じて、前記特定領域の位置を移動させることを特徴とする電子カメラ。
【請求項３】
請求項１または２に記載の電子カメラにおいて、
前記制御手段は、電子カメラがスタジオ撮影に適した撮影モードへ設定変更された場合、前記特定領域の大きさをモード変更前に比べて小さくすることを特徴とする電子カメラ。
【請求項４】
請求項１または２に記載の電子カメラにおいて、
前記制御手段は、電子カメラがスタジオ撮影に適した撮影モードへ設定変更された場合、前記特定領域の大きさを、当該撮影モードにおいて前回設定されていた大きさに揃えることを特徴とする電子カメラ。
【請求項５】
請求項４に記載の電子カメラにおいて、
前記制御手段は、電子カメラがスタジオ撮影に適した撮影モードへ設定変更された場合、前記特定領域の位置を、当該撮影モードにおいて前回設定されていた位置に揃えることを特徴とする電子カメラ。
【請求項６】
請求項１〜５のいずれか一項に記載の電子カメラにおいて、
被写体からの所定の光束を検出して前記撮影光学系の焦点調節状態を検出する位相差方式の焦点検出手段をさらに備え、
前記焦点調節手段は、前記焦点検出手段が検出した焦点調節状態に応じて前記撮影光学系の焦点調節を行ってから前記コントラスト検出手段が検出したコントラスト情報に応じて前記撮影光学系の焦点調節をさらに行うことを特徴とする電子カメラ。
【請求項７】
請求項６に記載の電子カメラにおいて、
前記制御手段は、前記特定領域の位置を、前記焦点検出手段が前記光束の検出に用いた領域に対応させることを特徴とする電子カメラ。
【請求項８】
請求項７に記載の電子カメラにおいて、
前記制御手段は、前記特定領域の大きさを、前記焦点検出手段が前記光束の検出に用いた領域に対応させることを特徴とする電子カメラ。
【請求項９】
請求項６〜８のいずれか一項に記載の電子カメラにおいて、
撮影指示前に前記撮像素子で得られる画像信号を表示する表示手段をさらに備え、
前記コントラスト検出手段は、前記表示手段が前記撮影指示前の画像信号を表示してから前記撮像素子で得られた画像信号からコントラスト情報を取得することを特徴とする電子カメラ。
【請求項１０】
請求項９に記載の電子カメラにおいて、
前記表示手段は、前記撮像素子で得られた画像信号の表示とともに、前記コントラスト検出手段がコントラスト情報の取得に用いる領域を示す表示を行うことを特徴とする電子カメラ。
【請求項１１】
請求項６〜８のいずれか一項に記載の電子カメラにおいて、
撮影指示部材からの半押し操作信号に応じて前記焦点検出手段に焦点調節状態の検出を開始させ、前記撮影指示部材からの１回目の全押し操作信号に応じて前記表示手段に前記撮影指示前の画像の表示を開始させ、前記撮影指示部材からの２回目の全押し操作信号に応じて撮影処理を開始する撮影制御手段をさらに備えることを特徴とする電子カメラ。
【請求項１２】
請求項７に記載の電子カメラにおいて、
前記制御手段は、前記焦点検出手段が前記光束の検出に用いた領域に対応する位置に設定した前記特定領域の位置を、前記操作部材からの前記移動指示信号に応じて移動することを特徴とすることを特徴とする電子カメラ。
【請求項１３】
請求項８に記載の電子カメラにおいて、
前記制御手段は、前記焦点検出手段が前記光束の検出に用いた領域に対応する大きさに設定した前記特定領域の大きさを、前記操作部材からの前記大きさ変更指示信号に応じて変更することを特徴とすることを特徴とする電子カメラ。
【発明の詳細な説明】
【技術分野】
【０００１】
本発明は、電子カメラに関する。
【背景技術】
【０００２】
撮影レンズを通して撮像した画像信号から得られるコントラスト情報に基づいて、撮影レンズの焦点調節状態を検出するコントラスト検出方式のオートフォーカス（ＡＦ）装置が知られている（特許文献１参照）。コントラスト情報は、ＡＦエリアとして設定された撮像画面の一部に対応する画像信号から検出される。
【０００３】
【特許文献１】特開平１１−２１５４２６号公報
【発明の開示】
【発明が解決しようとする課題】
【０００４】
従来技術では、低輝度の場合やコントラスト情報の評価値が所定値以下の場合にＡＦエリアが自動的に拡大されるので、撮影者が望む大きさのＡＦエリアが得られないという問題があった。
【課題を解決するための手段】
【０００５】
（１）本発明による電子カメラは、撮影光学系から導かれた被写体像を撮像する撮像素子と、撮像素子で得られる画像信号の少なくとも一部の特定領域からコントラスト情報を取得するコントラスト検出手段と、コントラスト情報に応じて撮影光学系の焦点調節を行う焦点調節手段と、操作部材からの大きさ変更指示信号に応じて、特定領域の大きさを変化させる制御手段とを備えることを特徴とする。
（２）請求項１に記載の電子カメラにおいて、制御手段は、操作部材からの移動指示信号に応じて、特定領域の位置を移動させることが好ましい。
（３）請求項１または２に記載の電子カメラにおいて、制御手段は、電子カメラがスタジオ撮影に適した撮影モードへ設定変更された場合、特定領域の大きさをモード変更前に比べて小さくすることが好ましい。
（４）請求項１または２に記載の電子カメラにおいて、制御手段は、電子カメラがスタジオ撮影に適した撮影モードへ設定変更された場合、特定領域の大きさを、当該撮影モードにおいて前回設定されていた大きさに揃えることが好ましい。
（５）請求項４に記載の電子カメラにおいて、制御手段は、電子カメラがスタジオ撮影に適した撮影モードへ設定変更された場合、特定領域の位置を、当該撮影モードにおいて前回設定されていた位置に揃えることが好ましい。
（６）請求項１〜５のいずれか一項に記載の電子カメラはさらに、被写体からの所定の光束を検出して撮影光学系の焦点調節状態を検出する位相差方式の焦点検出手段を備えてもよい。この場合の焦点調節手段は、焦点検出手段が検出した焦点調節状態に応じて撮影光学系の焦点調節を行ってからコントラスト検出手段が検出したコントラスト情報に応じて撮影光学系の焦点調節をさらに行うことが好ましい。
（７）請求項６に記載の電子カメラにおいて、制御手段は、特定領域の位置を、焦点検出手段が光束の検出に用いた領域に対応させることが好ましい。
（８）請求項７に記載の電子カメラにおいて、制御手段は、特定領域の大きさを、焦点検出手段が光束の検出に用いた領域に対応させることが好ましい。
（９）請求項６〜８のいずれか一項に記載の電子カメラはさらに、撮影指示前に撮像素子で得られる画像信号を表示する表示手段を備えてもよい。この場合のコントラスト検出手段は、表示手段が撮影指示前の画像信号を表示してから撮像素子で得られた画像信号からコントラスト情報を取得することが好ましい。
（１０）請求項９に記載の電子カメラにおいて、表示手段は、撮像素子で得られた画像信号の表示とともに、コントラスト検出手段がコントラスト情報の取得に用いる領域を示す表示を行うことが好ましい。
（１１）請求項６〜８のいずれか一項に記載の電子カメラはさらに、撮影指示部材からの半押し操作信号に応じて焦点検出手段に焦点調節状態の検出を開始させ、撮影指示部材からの１回目の全押し操作信号に応じて表示手段に撮影指示前の画像の表示を開始させ、撮影指示部材からの２回目の全押し操作信号に応じて撮影処理を開始する撮影制御手段を備えてもよい。
（１２）請求項７に記載の電子カメラにおいて、制御手段は、焦点検出手段が光束の検出に用いた領域に対応する位置に設定した特定領域の位置を、操作部材からの移動指示信号に応じて移動することが好ましい。
（１３）請求項８に記載の電子カメラにおいて、制御手段は、焦点検出手段が光束の検出に用いた領域に対応する大きさに設定した特定領域の大きさを、操作部材からの大きさ変更指示信号に応じて変更することが好ましい。
【発明の効果】
【０００６】
本発明による電子カメラでは、撮影者が意図する大きさの画像領域から焦点調節用のコントラスト情報を取得できる。
【発明を実施するための最良の形態】
【０００７】
以下、図面を参照して本発明を実施するための最良の形態について説明する。図１は、本発明の一実施の形態による一眼レフ電子カメラの要部構成を説明する図である。図１において、カメラ本体１０に対して着脱可能に構成される撮影レンズ５０が装着されている。
【０００８】
被写体からの光は、撮影レンズ５０のレンズ光学系５１および絞り５２を介してカメラ本体１０へ入射される。カメラ本体１０に入射した被写体光は、レリーズ前は破線で示すように位置するクイックリターンミラー（以下メインミラーと呼ぶ）１１で上方のファインダ部へ導かれてファインダマット１４に結像する。また、カメラ本体１０に入射した被写体光の一部はサブミラー２１で下方へ反射され、測距素子２２にも結像する。測距素子２２は、後述する位相差検出方式の焦点検出時に用いられる。
【０００９】
ファインダマット１４に結像した被写体光はさらに、ペンタプリズム１５へ入射される。ペンタプリズム１５は入射された被写体光を接眼レンズ１６へ導く一方、その一部をプリズム１７へも導く。プリズム１７へ入射された光は、レンズ１８を介して測光センサ１９へ入射される。測光センサ１９は、被写体像の明るさに応じた光電変換信号を出力する。
【００１０】
レリーズ後はメインミラー１１が実線で示される位置へ回動し、被写体光はシャッタ１２を介して撮像素子１３へ導かれ、その撮像面上に被写体像を結像する。撮像素子１３は、画素に対応する複数の光電変換素子を備えたＣＣＤイメージセンサなどによって構成される。撮像素子１３は、撮像面上に結像されている被写体像を撮像し、被写体像の明るさに応じた光電変換信号を出力する。
【００１１】
本実施形態の電子カメラは、撮像素子１３による撮像信号を画像記録用およびコントラスト情報検出用に用いる。コントラスト情報は、後述するコントラスト検出方式の焦点検出時に用いられる。
【００１２】
液晶モニタ２０は、カメラ本体１０の背面に配設される。液晶モニタ１０は、撮影画像や後述するライブビュー画像などを再生表示する。
【００１３】
図２は、上述した一眼レフ電子カメラの回路構成を例示するブロック図である。タイミングジェネレータ(TG)１３４は、システム制御部１０１から送出される指示に応じてタイミング信号を発生し、ドライバ１３３、ＡＦＥ(Analog Front End)回路１３１およびＡ／Ｄ変換回路１３２のそれぞれにタイミング信号を供給する。ドライバ１３３は、撮像素子１３に電荷を蓄積させ、蓄積電荷を掃き出させるための駆動信号を上記タイミング信号を用いて生成し、生成した駆動信号を撮像素子１３へ供給する。
【００１４】
ＡＦＥ(Analog Front End)回路１３１は、撮像素子１３から出力される光電変換信号（蓄積電荷）に対するアナログ処理（ゲインコントロールなど）を行う。Ａ／Ｄ変換回路１３２は、アナログ処理後の撮像信号をディジタル信号に変換する。
【００１５】
システム制御部１０１はマイクロコンピュータなどによって構成される。システム制御部１０１は、後述する各ブロックから出力される信号を入力して所定の演算を行い、演算結果に基づく制御信号を各ブロックへ出力する。
【００１６】
半押しスイッチ１１２および全押しスイッチ１１３は、レリーズボタン（不図示）の押下操作に連動して、それぞれがオン信号をシステム制御部１０１へ出力する。スイッチ１１２からのオン信号は、レリーズボタンが通常ストロークの半分程度まで押し下げ操作されると出力され、半ストロークの押し下げ操作解除で出力が解除される。スイッチ１１３からのオン信号は、レリーズボタンが通常ストロークまで押し下げ操作されると出力され、通常ストロークの押し下げ操作が解除されると出力が解除される。
【００１７】
操作部材１０６は、各種設定および選択操作に応じた設定・切換え信号をシステム制御部１０１へ出力する。操作部材１０６には、後述するライブビューモード、手持ち撮影モード、三脚撮影モードなどを選択する操作部材や、撮像感度（ＩＳＯ感度）、露出演算モード（プログラムオート、絞り優先オート、シャッター速度優先オート等）などを設定する操作部材、および操作方向を示す信号を出力する十字スイッチなどが含まれる。
【００１８】
ＡＦ制御部１０７は図１の測距素子２２を含む。ＡＦ制御部１０７は、測距素子２２による検出信号を用いて撮影レンズ５０による焦点調節状態（デフォーカス量）を検出し、検出結果に応じてレンズ光学系５１を構成するフォーカスレンズ（不図示）の移動量を算出する。フォーカスレンズの移動量を示す信号は、システム制御部１０１およびレンズ通信部１０９を介して撮影レンズ５０へ送信される。
【００１９】
測光制御部１０８は図１の測光センサ１９を含む。測光制御部１０８は、測光センサ１９による検出信号を用いて被写体輝度を算出する。測光制御部１０８はさらに、設定されている撮像感度、レンズ通信部１０９で受信されるレンズ情報、および算出した被写体輝度を用いて周知の露出演算を行い、制御露出を決定する。露出演算モードは、操作部材１０６からの操作信号に対応する露出演算モードで行う。
【００２０】
レンズ通信部１０９は、カメラ本体１０に装着されている撮影レンズ５０との間で通信を行う。カメラ本体１０および撮影レンズ５０間の通信により、絞り値やレンズデータなどのレンズ情報が撮影レンズ５０からカメラ本体１０へ送信される一方、上記フォーカスレンズの移動量や駆動指示などのレンズ制御情報がカメラ本体１０から撮影レンズ５０へ送信される。
【００２１】
シャッタ制御部１１０は、システム制御部１０１から送出される指示に応じてシャッタ１２（図１）のチャージおよび駆動制御を行う。ミラー制御部１１１は、システム制御部１０１から送出される指示に応じて、メインミラー１１のミラーアップ（図１において実線で示す位置へ退避させる）駆動、およびミラーダウン（図１において破線で示す位置へ復帰させる）駆動を制御する。
【００２２】
画像処理部１０２はＡＳＩＣなどによって構成される。画像処理部１０２は、システム制御部１０１からの指示によりディジタル変換後の画像データにホワイトバランス処理などの画像処理を行う他、画像処理後の画像データを所定の形式で圧縮する圧縮処理、圧縮された画像データを伸長する伸長処理などを行う。
【００２３】
表示画像作成回路１０４は、液晶モニタ２０に表示するための表示データを生成する。記録媒体１０５は、たとえば、メモリカードなどのデータストレージ部材によって構成される。システム制御部１０１は、記録媒体１０５に撮影画像のデータを保存したり、記録媒体１０５に保存しているデータを読み出すことが可能である。バッファメモリ１０３は、各画像処理、画像圧縮処理および表示データ生成処理の途中や処理前後のデータを一時的に格納するために使用される。
【００２４】
＜ライブビュー表示＞
ライブビュー表示は、撮影指示前に撮像素子１３で逐次撮像される画像を液晶モニタ２０に再生表示させるものである。メインミラー１１がアップされた状態では被写体光束がファインダ部へ導かれないため、撮影者は接眼レンズ１６を介して被写体像を確認できない。そこで、本実施の形態の一眼レフ電子カメラは、ライブビューモードにおいて液晶モニタ２０にライブビュー画像を表示させ、被写体像を液晶モニタ２０で観察できるようにする。
【００２５】
システム制御部１０１は、ライブビュー表示時にドライバ回路１３３へ駆動信号の切り替えを指示する。ドライバ回路１３３は、撮影用の駆動信号に代えてライブビュー用の駆動信号を撮像素子１３へ供給する。バッファメモリ１０３は、画像処理部１０２が画像処理する前、画像処理した後、および画像処理途中の画像データを一時的に格納するように制御される。これにより、前フレームの撮像画像のデータに対する処理の終了を待たずに次フレームの撮像が可能にされる。処理が終了したフレームの画像から順に表示データが生成され、液晶モニタ２０に逐次表示される（ライブビュー表示）。
【００２６】
＜位相差検出ＡＦ＞
ＡＦ制御部１０７は、位相差検出方式によるＡＦ演算を行う。具体的には、レンズ光学系５１の異なる領域を介して入射された一対のデフォーカス量検出用光束による像であって、それぞれが測距素子２２上の異なる位置で撮像されている２つの像の相対位置ずれ量（相対間隔）を求める。
【００２７】
これら一対の被写体像は、レンズ光学系５１が予定焦点面よりも前に被写体の鮮鋭像を結ぶいわゆる前ピン状態では互いに近づき、逆に予定焦点面より後ろに被写体の鮮鋭像を結ぶいわゆる後ピン状態では互いに遠ざかる。予定焦点面において被写体の鮮鋭像を結ぶ合焦状態には、測距素子２２上の一対の被写体像が相対的に一致する。したがって、一対の被写体像の相対位置ずれ量を求めることにより、レンズ光学系５１のフォーカス調節状態、すなわちデフォーカス量が得られる。撮影レンズ５０がフォーカスレンズをデフォーカス量に応じて光軸方向に移動させることにより、撮影レンズ５０のフォーカス調節が行われる。
【００２８】
＜コントラスト検出ＡＦ＞
システム制御部１０１は、コントラスト検出方式によるＡＦ演算も行う。システム制御部１０１は、レンズ通信部１０９を介してフォーカスレンズの移動を指示する信号を撮影レンズ５０へ送信する。システム制御部１０１は、フォーカスレンズが光軸方向に移動されている状態で撮像素子１３から出力される撮像信号に基づいて周知の焦点評価値演算を行うことにより、画像の高周波成分を尖鋭度に置き換えた焦点評価値（以後コントラスト情報と呼ぶ）を算出する。コントラスト情報は、レンズ光学系５１が撮像素子１３の撮像面上に尖鋭像を結ぶ合焦状態、すなわち、 撮像素子１３によって撮像される被写体像のエッジのボケが最小の状態で最大になる。
【００２９】
コントラスト検出ＡＦ時のシステム制御部１０１は、合焦状態に対応する位置へフォーカスレンズを移動するように撮影レンズ５０へ指示を送る。撮影レンズ５０がフォーカスレンズを合焦位置へ移動させることにより、撮影レンズ５０のフォーカス調節が行われる。
【００３０】
＜位相差検出ＡＦ時のフォーカスエリア＞
一眼レフ電子カメラは、撮影画面内に設けられたフォーカスエリアに対応する光束を用いてＡＦ演算するように構成されている。位相差検出ＡＦを行う場合のフォーカスエリアは、ＡＦ制御部１０７に組み込まれているデフォーカス量検出用光学系（不図示）により、その位置および大きさが決定される。ＡＦ制御部１０７は、たとえば、１１カ所のフォーカスエリアの中から選択した１つのフォーカスエリアを用いる。撮影画面内のフォーカスエリアを説明する図３において、符号Ｐ１〜Ｐ１１で示される１１箇所のマーク（中抜き四角）がフォーカスエリア（焦点検出領域）に対応する。
【００３１】
システム制御部１０１は、フォーカスエリアの変更を指示する操作部材１０６（たとえば十字スイッチ）から操作信号が入力された場合、その時点で選択しているフォーカスエリアから操作信号が示す方向に位置するフォーカスエリアに変更するように、ＡＦ制御部１０７へ指示を送る。
【００３２】
＜コントラスト検出ＡＦ時のフォーカスエリア＞
コントラスト検出ＡＦを行う場合のフォーカスエリアは、操作部材１０６からの操作信号に応じて、その位置および大きさが決定される。システム制御部１０１は、フォーカスエリアの移動を指示する操作部材１０６（たとえば十字スイッチ）から操作信号が入力された場合、その時点のフォーカスエリアを操作信号が示す方向へ、ステップ移動にならないように滑らかに移動する。
【００３３】
システム制御部１０１はさらに、フォーカスエリアのサイズ変更を指示する操作部材１０６（サイズ変更ボタン）が押下されながら十字スイッチから操作信号が入力された場合、その時点のフォーカスエリアのサイズを変更する。たとえば、十字スイッチから上または右を示す操作信号が入力されている場合、フォーカスエリアの中心位置を変えずに、フォーカスエリアサイズを段階的でなく滑らかに広げる。一方、十字スイッチから下または左を示す操作信号が入力されている場合、フォーカスエリアの中心位置を変えずに、フォーカスエリアサイズを段階的でなく滑らかに狭くする。
【００３４】
システム制御部１０１は、撮像素子１３から出力される撮像信号のうち、上述のように位置および大きさが決定されたフォーカスエリアに対応する画像信号を用いてコントラスト情報を算出する。ライブビューモードの場合のシステム制御部１０１は、表示画像作成回路１０４に指示を送り、ライブビュー画像に重ねてフォーカスエリアを示す表示を行わせる。
【００３５】
撮影画面内のフォーカスエリア（コントラスト検出ＡＦ用）を説明する図４において、符号Ｃ１で示されるマーク（中抜き四角）がフォーカスエリア（焦点検出領域）に対応する。マークＣ１は、ライブビュー画像に重ねて液晶モニタ２０に表示される。フォーカスエリアＣ１の大きさの初期値は、手持ち撮影モード時のほうが三脚撮影モード時より大きく設定されている。
【００３６】
図５は、小さくサイズ変更されたフォーカスエリアＣ１を例示する図である。図６は、撮影画面の右上部へ移動されたフォーカスエリアＣ１を例示する図である。図７は、大きくサイズ変更されたフォーカスエリアＣ１を例示する図である。なお、大きくサイズ変更したマークが撮影画面の外へはみ出す場合は、撮影画面に含まれる部分のみをフォーカスエリアＣ１とする。
【００３７】
図８および図９は、システム制御部１０１で行われる撮影処理の流れを説明するフローチャートである。図８および図９の処理を行うプログラムはシステム制御部１０１内のＲＯＭ（不図示）に格納されており、一眼レフ電子カメラがライブビューモードかつ三脚撮影モードに設定されている状態で繰り返し行われる。
【００３８】
図８のステップＳ１０において、システム制御部１０１は、フォーカスエリア（位相差検出ＡＦ用）が変更操作されたか否かを判定する。システム制御部１０１は、操作部材１０６を構成する十字スイッチから操作信号が入力された場合にステップＳ１０を肯定判定してステップＳ１１へ進む。システム制御部１０１は、十字スイッチから操作信号が入力されない場合にはステップＳ１０を否定判定し、ステップＳ１２へ進む。なお、位相差検出ＡＦ用フォーカスエリアの初期位置は、図３のＰ１〜Ｐ１１のマークで例示した１１箇所のうち、前回の位相差検出ＡＦ時に選択されていたフォーカスエリアである。
【００３９】
ステップＳ１１において、システム制御部１０１はフォーカスエリアを変更させてステップＳ１２へ進む。具体的には、その時点で選択しているフォーカスエリアから操作信号が示す方向に位置するフォーカスエリアに変更するように、ＡＦ制御部１０７へ指示を送る。
【００４０】
ステップＳ１２において、システム制御部１０１はレリーズボタンが半押し操作されたか否かを判定する。システム制御部１０１は、半押しスイッチ１１２からオン信号が入力された場合にステップＳ１２を肯定判定してステップＳ１３へ進み、半押しスイッチ１１２からオン信号が入力されない場合にはステップＳ１２を否定判定し、ステップＳ１０へ戻る。
【００４１】
ステップＳ１３において、システム制御部１０１はＡＦ制御部１０７に指示を送り、位相差検出ＡＦ処理を行わせてステップＳ１４へ進む。ステップＳ１４において、システム制御部１０１はレリーズボタンが全押し操作されたか否かを判定する。システム制御部１０１は、全押しスイッチ１１３からオン信号が入力された場合にステップＳ１４を肯定判定してステップＳ１５へ進み、全押しスイッチ１１３からオン信号が入力されない場合にはステップＳ１４を否定判定し、ステップＳ１２へ戻る。
【００４２】
ステップＳ１５において、システム制御部１０１はミラー制御部１１１へ指示を送り、メインミラー１１のアップ駆動を開始させてステップＳ１６へ進む。ステップＳ１６において、システム制御部１０１はライブビュー表示を開始させてステップＳ１７へ進む。具体的には、撮像素子１３およびその周辺回路（ＡＦＥ回路１３１、Ａ／Ｄ変換回路１３２等）への通電を開始させ、ライブビュー用の撮像を開始した撮像素子１３から逐次出力される画像信号から作成したライブビュー画像を液晶モニタ２０に表示させる。
【００４３】
本実施形態では、ライブビュー表示時にコントラスト検出ＡＦを行うため、ライブビュー画像に重ねてフォーカスエリアを示す表示を行う。コントラスト検出ＡＦ用フォーカスエリアの初期位置およびサイズは、たとえば、位相差検出ＡＦ用に選択されていたフォーカスエリアの位置、サイズを引き継ぐ。
【００４４】
ステップＳ１７において、システム制御部１０１はフォーカスエリア（コントラスト検出ＡＦ用）が移動操作されたか否かを判定する。システム制御部１０１は、操作部材１０６を構成する十字スイッチから操作信号が入力された場合にステップＳ１７を肯定判定してステップＳ１８へ進む。システム制御部１０１は、十字スイッチから操作信号が入力されない場合にはステップＳ１７を否定判定し、ステップＳ１９へ進む。
【００４５】
ステップＳ１８において、システム制御部１０１はコントラスト検出ＡＦ用フォーカスエリアを移動してステップＳ１９へ進む。具体的には、その時点で位置するフォーカスエリアを操作信号が示す方向へ移動し、移動後のフォーカスエリアを示すマークＣ１を重ね表示するように表示画像作成回路１０４へ指示を送る。
【００４６】
ステップＳ１９において、システム制御部１０１はフォーカスエリア（コントラスト検出ＡＦ用）のサイズ変更操作されたか否かを判定する。システム制御部１０１は、操作部材１０６を構成するサイズ変更ボタンが押下されながら十字スイッチから操作信号が入力された場合にステップＳ１９を肯定判定してステップＳ２０へ進む。システム制御部１０１は、サイズ変更ボタンが押下されない、または十字スイッチから操作信号が入力されない場合にはステップＳ１９を否定判定し、ステップＳ２１へ進む。
【００４７】
ステップＳ２０において、システム制御部１０１はコントラスト検出ＡＦ用フォーカスエリアのサイズを変更してステップＳ２１へ進む。具体的には、フォーカスエリアの中心位置を変えずに、フォーカスエリアのサイズを操作信号が示す方向に応じて変更し、変更後のフォーカスエリアを示すマークＣ１を重ね表示するように表示画像作成回路１０４へ指示を送る。
【００４８】
ステップＳ２１において、システム制御部１０１は位相差検出ＡＦの実行が指示されたか否かを判定する。システム制御部１０１は、操作部材１０６を構成する位相差検出ＡＦボタンの押下を示す操作信号が入力された場合にステップＳ２１を肯定判定してステップＳ２４へ進む。システム制御部１０１は、操作部材１０６を構成する位相差検出ＡＦボタンの押下を示す操作信号が入力されない場合にはステップＳ２１を否定判定し、ステップＳ２２へ進む。
【００４９】
ステップＳ２４において、システム制御部１０１はミラー制御部１１１へ指示を送り、メインミラー１１をダウン駆動させてステップＳ２５へ進む。この場合、ライブビュー表示は一時中断させる。ステップＳ２５において、システム制御部１０１はＡＦ制御部１０７へ指示を送り、位相差検出ＡＦ処理を行わせてステップＳ２６へ進む。ＡＦ制御部１０７が用いる位相差検出ＡＦ用フォーカスエリアは、図３のＰ１〜Ｐ１１のマークで例示した１１箇所のうち、現時点のコントラスト検出ＡＦ用フォーカスエリアの中心位置に対応するものとする。
【００５０】
ステップＳ２６において、システム制御部１０１はミラー制御部１１１へ指示を送り、メインミラー１１をアップ駆動させてステップＳ２２へ進む。システム制御部１０１は、ステップＳ２４へ進む前のコントラスト検出ＡＦ用フォーカスエリアの位置およびサイズを再現するとともにライブビュー表示を再開させる。
【００５１】
ステップＳ２２において、システム制御部１０１はコントラスト検出ＡＦの実行が指示されたか否かを判定する。システム制御部１０１は、操作部材１０６を構成するコントラスト検出ＡＦボタンの押下を示す操作信号が入力された場合にステップＳ２２を肯定判定してステップＳ２３へ進む。システム制御部１０１は、操作部材１０６を構成するコントラスト検出ＡＦボタンの押下を示す操作信号が入力されない場合にはステップＳ２２を否定判定し、図９のステップＳ２７へ進む。
【００５２】
ステップＳ２３において、システム制御部１０１は、コントラスト検出ＡＦ処理を行って図９のステップＳ２７へ進む。コントラスト検出ＡＦにおいて焦点評価値を得るためのフォーカスレンズの移動範囲は、位相差検出ＡＦによるフォーカス調節後のレンズ位置を含む所定範囲でよい。
【００５３】
図９のステップＳ２７において、システム制御部１０１はレリーズボタンが全押し操作されたか否かを判定する。システム制御部１０１は、全押しスイッチ１１３からオン信号が入力された場合にステップＳ２７を肯定判定してステップＳ２８へ進み、全押しスイッチ１１３からオン信号が入力されない場合にはステップＳ２７を否定判定し、図８のステップＳ１７へ戻る。
【００５４】
ステップＳ２８において、システム制御部１０１はミラー制御部１１１へ指示を送り、メインミラー１１のダウン駆動を開始させてステップＳ２９へ進む。ステップＳ２９において、システム制御部１０１はライブビュー表示を終了させてステップＳ３０へ進む。ステップＳ３０において、システム制御部１０１は測光制御部１０８へ指示を送り、ＡＥ（自動露出）演算させてステップＳ３１へ進む。ステップＳ３１において、システム制御部１０１はミラー制御部１１１へ指示を送り、メインミラー１１のアップ駆動を開始させてステップＳ３２へ進む。
【００５５】
ステップＳ３２において、システム制御部１０１は撮像素子１３を初期化（電荷排出等）させてステップＳ３３へ進む。ステップＳ３３において、システム制御部１０１は撮像素子１３に撮影用の電荷蓄積および蓄積電荷の掃き出しをさせてステップＳ３４へ進む。
【００５６】
ステップＳ３４において、システム制御部１０１はミラー制御部１１１へ指示を送り、メインミラー１１のダウン駆動を開始させてステップＳ３５へ進む。ステップＳ３５において、システム制御部１０１は画像処理部１０２へ指示を送り、撮像画像に対して所定の画像処理を行わせてステップＳ３６へ進む。
【００５７】
ステップＳ３６において、システム制御部１０１は画像データを記録媒体１０５に記録してステップＳ３７へ進む。ステップＳ３７において、システム制御部１０１は表示画像作成回路１０４へ指示を送り、液晶モニタ２０に撮影画像を再生表示させて図９による処理を終了する。
【００５８】
以上説明した処理は、一眼レフ電子カメラが他のモード（ライブビューモードおよび三脚撮影モードの少なくとも一方が解除される）に切換えられた場合、または操作部材１０６から操作信号が入力されない状態が所定時間以上継続した場合には終了する。
【００５９】
以上説明した実施形態によれば、次の作用効果が得られる。
（１）電子カメラにコントラスト検出ＡＦ処理を行わせる場合に、操作部材１０６からの操作信号に応じてコントラスト検出ＡＦ用フォーカスエリアの大きさを変更するようにした。これにより、撮影画面において撮影者が意図する大きさのフォーカスエリアに対応する画像信号に基づいてフォーカス調節させることができる。とくに、ピンポイントでピント合わせを行いたい場合（たとえば静物をスタジオ撮影する）に有効である。
【００６０】
（２）電子カメラにコントラスト検出ＡＦ処理を行わせる場合に、操作部材１０６からの操作信号に応じてコントラスト検出ＡＦ用フォーカスエリアの位置を移動するようにした。これにより、撮影画面において撮影者が意図する位置のフォーカスエリアに対応する画像信号に基づいてフォーカス調節させることができる。とくに、フォーカスエリアをピンポイント設定した場合に有効である。
【００６１】
（３）コントラスト検出ＡＦを行う電子カメラに位相差検出ＡＦを行わせるためのＡＦ制御部１０７を設け、位相差検出ＡＦ（粗調）を行ってからコントラスト検出ＡＦ（微調）を行う（ステップＳ２３）構成にした。これにより、コントラスト検出ＡＦにおけるフォーカスレンズの移動範囲を限定できる（位相差検出ＡＦによるフォーカス調節後のレンズ位置を含む所定範囲とする）ので、可動範囲全域をスキャンする場合に比べてコントラスト検出ＡＦの所要時間を短縮できる。
【００６２】
（４）撮像素子１３の撮像面で得られるコントラスト情報を用いてフォーカス微調する構成にしたので、撮像素子１３の撮像面と異なる位置に配設したＡＦ制御部１０７によってフォーカス調節する場合に比べて、高精度のフォーカス調節を行うことができる。
【００６３】
（５）コントラスト検出ＡＦに用いるフォーカスエリア位置は、位相差検出ＡＦ用に用いたフォーカスエリアの位置に対応するように自動的に移動させたので、撮影者がフォーカスエリア位置の移動操作を行う手間を省くことができる。なお、自動的に移動させた後、移動操作に応じてさらに移動させてもよい。
【００６４】
（６）コントラスト検出ＡＦに用いるフォーカスエリアサイズは、位相差検出ＡＦ用に用たフォーカスエリアのサイズに対応するように自動的に変更させたので、撮影者がフォーカスエリアサイズの変更操作を行う手間を省くことができる。なお、自動的にサイズ変更した後、サイズ変更操作に応じてさらにサイズ変更してもよい。
【００６５】
（７）上記電子カメラの液晶モニタ２０にライブビュー画像を表示させる構成とし、ライブビュー表示を開始（ステップＳ１６）してからコントラスト検出ＡＦを行う（ステップＳ２３）ようにした。これにより、撮影者はフォーカス調節後に撮像素子１３で撮像される画像を液晶モニタ２０で確認することができる。
【００６６】
（８）コントラスト検出ＡＦ用フォーカスエリアを示すマークＣ１をライブビュー画像に重ねて表示するようにしたので、撮影者は、撮影画面におけるフォーカスエリアの位置およびサイズを液晶モニタ２０から確認することができる。
【００６７】
（９）レリーズボタンの半押し操作（ステップＳ１２）に応じて位相差検出ＡＦ（粗調）を行い、その後のレリーズボタンの全押し操作（ステップＳ１４）に応じてコントラスト検出ＡＦ用フォーカスエリアの大きさ、サイズの変更操作を許容し、再びレリーズボタンが全押し操作（ステップＳ２７）されると撮影処理を開始するようにした。これにより、レリーズボタン操作だけでフォーカス粗調→フォーカスエリアの移動、変更→フォーカス微調のシーケンス制御を行わせることができる。
【００６８】
（１０）位相差検出ＡＦ（粗調）後にコントラスト検出ＡＦ（微調）の実行操作が許容されている状態（ステップＳ１７〜ステップＳ２０、ステップＳ２２〜ステップＳ２３およびステップＳ２７）で、位相差検出ＡＦ（粗調）の実行操作を許容する（ステップＳ２１）ようにした。コントラスト検出ＡＦ（微調）において十分なコントラストが得られないことに起因してフォーカスレンズの位置が粗調結果から大きく外れてしまった場合には、再び位相差検出ＡＦ（粗調）を行わせることによってフォーカスレンズを粗調位置へ戻すことができる。
【００６９】
（変形例１）
スタジオ撮影用モードを設け、電子カメラがこのモードに設定された場合にライブビューモードおよび三脚撮影モードをそれぞれ自動的に設定する構成にしてもよい。
【００７０】
（変形例２）
スタジオ撮影用モードに設定変更した場合、コントラスト検出ＡＦ用フォーカスエリアの初期値サイズを他の撮影モード（たとえば手持ち撮影モード）における初期値サイズに比べて小さく自動変更する構成にしてもよい。スタジオ撮影場面ではフォーカスエリアを非常に狭くピンポイント設定したい場合が多いので、フォーカスエリアを自動的に狭くすることによって撮影者がサイズ変更の操作を行う手間を省くことができる。
【００７１】
（変形例３）
スタジオ撮影用モードに設定変更した場合、コントラスト検出ＡＦ用フォーカスエリアの初期値サイズを、スタジオ撮影用モード時において前回設定されていたサイズと同じに自動変更する構成にしてもよい。スタジオ撮影場面では撮影中断後に同条件で撮影を再開したい場合が多いので、フォーカスエリアの設定状態を自動的に前回の設定状態と揃えることによって撮影者がフォーカスエリアサイズの変更操作を行う手間を省くことができる。
【００７２】
（変形例４）
スタジオ撮影用モードに設定変更した場合、コントラスト検出ＡＦ用フォーカスエリアの初期位置を、スタジオ撮影用モード時において前回設定されていた位置と同じ位置へ自動移動する構成にしてもよい。スタジオ撮影場面では同条件で撮影を行いたい場合が多いので、フォーカスエリアの設定状態を自動的に前回の設定状態と揃えることによって撮影者がフォーカスエリアの移動操作を行う手間を省くことができる。
【００７３】
（変形例５）
ステップＳ２８においてミラーダウンさせるようにしたが、ステップＳ２８をスキップしてミラーアップ状態を維持する構成にしてもよい。この場合には、ステップＳ１５のミラーアップ前にＡＥ演算を行えばよい。
【００７４】
（変形例６）
一眼レフ電子カメラを例に説明したが、一眼レフタイプでなく、撮像素子からの撮像信号に基づいてコントラスト検出ＡＦを行う電子カメラや、位相差検出ＡＦ装置を備えていない電子カメラにも本発明を適用できる。
【００７５】
以上の説明はあくまで一例であり、上記の実施形態の構成に何ら限定されるものではない。
【図面の簡単な説明】
【００７６】
【図１】一眼レフ電子カメラの要部構成を説明する図である。
【図２】一眼レフ電子カメラの回路構成を例示するブロック図である。
【図３】撮影画面内のフォーカスエリアを説明する図である。
【図４】フォーカスエリア（コントラスト検出ＡＦ用）を説明する図である。
【図５】小さくサイズ変更されたフォーカスエリアを例示する図である。
【図６】撮影画面の右上部へ移動されたフォーカスエリアを例示する図である。
【図７】大きくサイズ変更されたフォーカスエリアを例示する図である。
【図８】システム制御部で行われる撮影処理の流れを説明するフローチャートである。
【図９】システム制御部で行われる撮影処理の流れを説明するフローチャートである。
【符号の説明】
【００７７】
１０…カメラ本体
５０…撮影レンズ
１３…撮像素子
２０…液晶モニタ
１０１…システム制御部
１０４…表示画像作成回路
１０６…操作部材
１０７…ＡＦ制御部
１１２…半押しスイッチ
１１３…全押しスイッチ
【図１】
2008122666.tif 000003
【図２】
2008122666.tif 000004
【図３】
2008122666.tif 000005
【図４】
2008122666.tif 000006
【図５】
2008122666.tif 000007
【図６】
2008122666.tif 000008
【図７】
2008122666.tif 000009
【図８】
2008122666.tif 000010
【図９】
2008122666.tif 000011